(57)【特許請求の範囲】
【請求項１】
フリーロケーションスペースに用意されているフリーユースエリアで使用するユーザ携帯端末の要求に応じてコンテンツを提供するコンテンツ管理装置であって、
前記コンテンツをセキュリティレベル別に記憶するコンテンツ記憶手段と、
各フリーユースエリアをセキュリティレベル別に記憶するエリア記憶手段と、
前記フリーユースエリアごとに前記ユーザ携帯端末を識別する端末識別データを検出する端末位置検出手段と、
前記端末位置検出手段が検出した検出結果を保持する現状保持手段と、
前記端末識別データとともに前記コンテンツの要求を受け付けるコンテンツ要求受付手段と、
前記検出結果から前記コンテンツ要求受付手段が受け付けた前記端末識別データに対応するフリーユースエリアを抽出し、抽出された前記フリーユースエリアのセキュリティレベルが、要求されたコンテンツのセキュリティレベルを満足するか否かを判断する判断手段と、
前記要求されたコンテンツのセキュリティレベルが、前記コンテンツを要求する前記ユーザ携帯端末が位置する前記フリーユースエリアのセキュリティレベルを満足するとき、前記ユーザ携帯端末に前記要求されたコンテンツへのアクセスを許可するアクセス許可手段と、
を備え、
前記アクセス許可手段により前記ユーザ携帯端末に前記コンテンツへのアクセスが許可された場合、前記判断手段が、アクセス許可した前記コンテンツの識別データと、前記コンテンツへのアクセスを許可した前記ユーザ携帯端末の前記端末識別データとを対応づけて、前記現状保持手段により保持される前記検出結果を更新する
ことを特徴とするコンテンツ管理装置。
【請求項２】
前記要求されたコンテンツのセキュリティレベルが、前記コンテンツを要求する前記ユーザ携帯端末が位置する前記フリーユースエリアのセキュリティレベルを満足しないとき、前記アクセス許可手段は、前記コンテンツを要求する前記ユーザ携帯端末に前記コンテンツのアクセスが許可できないことを示すアクセス拒否情報を送出することを特徴とする請求項１に記載のコンテンツ管理装置。
【請求項３】
前記端末識別データをセキュリティレベル別に保持する端末記憶手段をさらに備え、
前記ユーザ携帯端末のセキュリティレベルが前記コンテンツを要求するユーザ携帯端末が位置するフリーユースエリアのセキュリティレベルを満足しないとき、前記アクセス許可手段は、前記コンテンツを要求する前記ユーザ携帯端末に前記コンテンツのアクセスを許可できないことを示す前記アクセス拒否情報を送信することを特徴とする請求項２に記載のコンテンツ管理装置。
【請求項４】
フリーロケーションスペースに用意されているフリーユースエリアで使用するユーザ携帯端末の要求に応じてコンテンツをコンピュータが提供するコンテンツ管理方法であって、
前記コンピュータが、
前記フリーユースエリアごとに前記ユーザ携帯端末を識別する端末識別データを検出する検出ステップと、
前記検出ステップで検出された検出結果を現状保持部に保持するステップと、
前記端末識別データとともに前記コンテンツの要求を受け付ける受付ステップと、
前記検出結果から前記受付ステップで受け付けられた前記端末識別データに対応するフリーユースエリアを抽出し、前記コンテンツをセキュリティレベル別に記憶するコンテンツ記憶部及び各フリーユースエリアをセキュリティレベル別に記憶するエリア記憶部を参照することにより、該抽出されたフリーユースエリアのセキュリティレベルが、前記要求されたコンテンツのセキュリティレベルを満足するか否かを判断するステップと、
前記要求されたコンテンツのセキュリティレベルが、前記コンテンツを要求する前記ユーザ携帯端末が位置する前記フリーユースエリアのセキュリティレベルを満足するとき、前記ユーザ携帯端末に前記要求されたコンテンツへのアクセスを許可するステップと、
前記ユーザ携帯端末に前記コンテンツへのアクセスが許可された場合に、アクセス許可した前記コンテンツの識別データと、前記コンテンツへのアクセスを許可した前記ユーザ携帯端末の前記携帯端末識別データとを対応づけて、前記現状保持部に保持される前記検出結果を更新するステップと、
を実行するコンテンツ管理方法。
【請求項５】
フリーロケーションスペースに用意されているフリーユースエリアで使用するユーザ携帯端末の要求に応じて前記コンテンツを提供するためのコンテンツ管理プログラムであって、
コンピュータに、
前記コンテンツをセキュリティレベル別に記憶するコンテンツ記憶手段と、
各フリーユースエリアをセキュリティレベル別に記憶するエリア記憶手段と、
前記フリーユースエリアごとに前記ユーザ携帯端末を識別する端末識別データを検出する端末位置検出手段と、
前記端末位置検出手段が検出した検出結果を保持する現状保持手段と、
前記端末識別データとともに前記コンテンツの要求を受け付けるコンテンツ要求受付手段と、
前記検出結果から前記コンテンツ要求手段が受け付けた前記端末識別データに対応するフリーユースエリアを抽出し、抽出された前記フリーユースエリアのセキュリティレベルが、要求されたコンテンツのセキュリティレベルを満足するか否かを判断する判断手段と、
前記要求されたコンテンツのセキュリティレベルが、前記コンテンツを要求する前記ユーザ携帯端末が位置する前記フリーユースエリアのセキュリティレベルを満足するとき、前記ユーザ携帯端末に前記要求されたコンテンツへのアクセスを許可するアクセス許可手段と、
を実現させ、
前記アクセス許可手段により、前記ユーザ携帯端末に前記コンテンツへのアクセスが許可された場合、前記判断手段は、アクセス許可した前記コンテンツの識別データと、前記コンテンツへのアクセスを許可した前記ユーザ携帯端末の前記携帯端末識別データとを対応づけて、前記現状保持手段により保持される前記検出結果を更新する
ことを特徴とするコンテンツ管理プログラム。
【発明の詳細な説明】
【技術分野】
【０００１】
本発明は、フリーロケーションスペースに用意されているフリーユースエリアで使用するユーザ携帯端末の要求に応じてコンテンツを提供するコンテンツ管理装置、コンテンツ管理方法およびそのプログラムに関する。
【背景技術】
【０００２】
現在、フリーアドレスオフィスなどと呼称されるフリーロケーションスペースが提案されている。このフリーアドレスオフィスでは、複数のフリーユースエリアとしてデスクや会議室などが設置されている。そして、フリーアドレスオフィスでは、その社員などのフリーアドレスユーザがフリーユースエリアを自由に利用する。
【０００３】
例えば、フリーアドレスユーザが来社して所望のデスクに着席することで、その日は、そのデスクが、そのフリーアドレスユーザの座席となる。このようなフリーアドレスオフィスでは、フリーアドレスユーザの来社に対応してフリーアドレスオフィスを最大限に有効活用するようなことが可能となる。
【０００４】
一方、フリーアドレスオフィスでは、上述のようにフリーアドレスユーザの座席が不定である。このため、フリーアドレスユーザの来社の有無、来社しているフリーアドレスユーザの座席位置、等を検出する必要がある。
【０００５】
そこで、フリーアドレスオフィスの出入口にカードリーダを設置しておき、フリーアドレスユーザに個人ＩＤ（Identity）を登録したＩＣ（Integrated Circuit）カードなどを所持させ、フリーアドレスユーザの入室および退室を検出してデータ管理することが実施されている。
【０００６】
さらに、フリーアドレスオフィスの各所にＲＦＩＤ（Radio Frequency Identification）リーダを設置しておき、フリーアドレスユーザにＲＦＩＤカードを所持させ、フリーアドレスオフィスでのフリーアドレスユーザの位置をリアルタイムに検出してデータ管理することも実施されている。
【０００７】
このようなリアルタイムの位置検出は、ＰＨＳ（Personal Handy-phone System：登録商標）の基地局と構内端末、無線ＬＡＮ（Local Area Network）の基地局とモバイルコンピュータ、赤外線を利用したＩＤ発行器とＩＤ検出器、などでも実施されている。
【０００８】
なお、上述のような技術は、上述したフリーアドレスオフィスでのフリーアドレスユーザの位置検出の他、セキュリティエリアでも利用されている。現在、上述のような技術として各種の提案がある（例えば、特許文献１、２、３、４参照）。
【特許文献１】特開２００７−１４２６２１号公報
【特許文献２】特開２００６−０２３１２９号公報
【特許文献３】特開２００６−３０９６０９号公報
【特許文献４】特開２００４−１３８５１３号公報
【発明の開示】
【発明が解決しようとする課題】
【０００９】
しかしながら、上述のフリーアドレスオフィスなどのフリーロケーションスペースでは、フリーアドレスユーザの位置が一定ではないため、例えば、他部署のユーザ同士が近隣のエリアに着席した場合、部外秘業務の作業を行うとセキュリティ上の問題がある。
【００１０】
本発明は上述のような課題に鑑みてなされたものであり、フリーロケーションスペースの複数のフリーユースエリアのセキュリティレベルに応じてユーザが業務で使用するコンテンツを提供するコンテンツ管理装置、そのプログラムおよびデータ処理方法を提供するものである。
【課題を解決するための手段】
【００１１】
本発明によれば、フリーロケーションスペースに用意されているフリーユースエリアで使用するユーザ携帯端末の要求に応じてコンテンツを提供するコンテンツ管理装置であって、
コンテンツをセキュリティレベル別に記憶するコンテンツ記憶手段と、
各フリーユースエリアをセキュリティレベル別に記憶するエリア記憶手段と、
フリーユースエリアごとにユーザ携帯端末を識別する端末識別データを検出する端末位置検出手段と、
端末位置検出手段が検出した検出結果を保持する現状保持手段と、
端末識別データとともにコンテンツの要求を受け付けるコンテンツ要求受付手段と、
検出結果からコンテンツ要求受付手段が受け付けた端末識別データに対応するフリーユースエリアを抽出し、抽出されたフリーユースエリアのセキュリティレベルが、要求されたコンテンツのセキュリティレベルを満足するか否かを判断する判断手段と、
要求されたコンテンツのセキュリティレベルが、コンテンツを要求するユーザ携帯端末が位置するフリーユースエリアのセキュリティレベルを満足するとき、ユーザ携帯端末に要求されたコンテンツへのアクセスを許可するアクセス許可手段と、
を備えることを特徴とするコンテンツ管理装置
が提供される。
【００１２】
また、本発明によれば、フリーロケーションスペースに用意されているフリーユースエリアで使用するユーザ携帯端末の要求に応じてコンテンツを提供するコンテンツ管理方法であって、
コンテンツをセキュリティレベル別に記憶するステップと、
各フリーユースエリアをセキュリティレベル別に記憶するステップと、
フリーユースエリアごとにユーザ携帯端末を識別する端末識別データを検出するステップと、
端末識別データを検出するステップで検出した検出結果を保持するステップと、
端末識別データとともにコンテンツの要求を受け付けるステップと、
検出結果からコンテンツの要求を受け付けるステップで受け付けた端末識別データに対応するフリーユースエリアを抽出し、抽出されたフリーユースエリアのセキュリティレベルが、要求されたコンテンツのセキュリティレベルを満足するか否かを判断するステップと、
要求されたコンテンツのセキュリティレベルが、コンテンツを要求するユーザ携帯端末が位置するフリーユースエリアのセキュリティレベルを満足するとき、前記ユーザ携帯端末に要求された前記コンテンツへのアクセスを許可するステップと、
を含むことを特徴とするコンテンツ管理方法
が提供される。
【００１３】
また、本発明によれば、フリーロケーションスペースに用意されているフリーユースエリアで使用するユーザ携帯端末の要求に応じてコンテンツを提供するためのコンテンツ管理プログラムであって、
コンピュータに、
コンテンツをセキュリティレベル別に記憶するコンテンツ記憶手段と、
各フリーユースエリアをセキュリティレベル別に記憶するエリア記憶手段と、
フリーユースエリアごとにユーザ携帯端末を識別する端末識別データを検出する端末位置検出手段と、
端末位置検出手段が検出した検出結果を保持する現状保持手段と、
端末識別データとともにコンテンツの要求を受け付けるコンテンツ要求受付手段と、
検出結果からコンテンツ要求手段が受け付けた端末識別データに対応するフリーユースエリアを抽出し、抽出されたフリーユースエリアのセキュリティレベルが、要求されたコンテンツのセキュリティレベルを満足するか否かを判断する判断手段と、
要求されたコンテンツのセキュリティレベルが、コンテンツを要求するユーザ携帯端末が位置するフリーユースエリアのセキュリティレベルを満足するとき、ユーザ携帯端末に要求されたコンテンツへのアクセスを許可するアクセス許可手段と、
を実現させることを特徴とするコンテンツ管理プログラム
が提供される。
【００１４】
また、本発明によれば、フリーロケーションスペースに用意されているフリーユースエリアで使用するユーザ端末の要求に応じてコンテンツを提供するコンテンツ管理装置であって、
コンテンツの表示情報をユーザ端末に出力する出力手段と、
コンテンツの表示情報を出力しているユーザ端末を個々に識別してユーザ端末の位置を検出するユーザ位置検出手段と、
フリーユースエリア内のゲストの位置を検出するゲスト位置検出手段と、
ユーザ位置検出手段が検出したユーザ端末の位置と、ゲスト位置検出手段が検出したゲストの位置との位置関係を検出する位置関係検出手段と、
を備えることを特徴とするコンテンツ管理装置
が提供される。
【００１５】
また、本発明によれば、フリーロケーションスペースに用意されているフリーユースエリアで使用するユーザ端末の要求に応じてコンテンツを提供するコンテンツ管理方法であって、
コンテンツの表示情報をユーザ端末に出力するステップと、
コンテンツの表示情報を出力しているユーザ端末を個々に識別してユーザ端末の位置を検出するステップと、
フリーユースエリア内のゲストの位置を検出するステップと、
ユーザ端末の位置を検出するステップで検出したユーザ端末の位置と、ゲストの位置を検出するステップで検出したゲストの位置との位置関係を検出するステップと、
を含むことを特徴とするコンテンツ管理方法
が提供される。
【００１６】
さらに、本発明によれば、フリーロケーションスペースに用意されているフリーユースエリアで使用するユーザ端末の要求に応じてコンテンツを提供するためのコンテンツ管理プログラムであって、
コンピュータに、
コンテンツの表示情報をユーザ端末に出力する出力手段と、
コンテンツの表示情報を出力している前記ユーザ端末を個々に識別してユーザ端末の位置を検出するユーザ位置検出手段と、
フリーユースエリア内のゲストの位置を検出するゲスト位置検出手段と、
ユーザ位置検出手段が検出したユーザ端末の位置と、ゲスト位置検出手段が検出したゲストの位置との位置関係を検出する位置関係検出手段と、
を実現させるコンテンツ管理プログラム
が提供される。
【発明の効果】
【００１７】
本発明によれば、フリーアドレスオフィスにおいて機密業務の作業空間を制限することができる。
【発明を実施するための最良の形態】
【００１８】
以下、本発明の実施の形態について、図面を用いて説明する。尚、すべての図面において、同様な構成要素には同様の符号を付し、適宜説明を省略する。
【００１９】
本実施の形態のコンテンツ管理装置は、図３で示すように、フリーアドレスオフィスＦＡＯに用意されているフリーユースエリアＦＵＡで使用するユーザ携帯端末２００の要求に応じてコンテンツを提供するコンテンツ管理装置である。
【００２０】
図１は、本実施の形態のコンテンツ管理装置１００のブロック図である。コンテンツ管理装置１００は、コンテンツをセキュリティレベル別に記憶するコンテンツ記憶部１４０と、各フリーユースエリアＦＵＡをセキュリティレベル別に記憶するエリア記憶部１１０と、フリーユースエリアＦＵＡごとにユーザ携帯端末２００を識別する端末識別データを検出するユーザ検出部１５０と、ユーザ検出部１５０が検出した検出結果を保持する現状保持部１６０と、端末識別データとともにコンテンツの要求を受け付けるアクセス受付部１７０と、検出結果からアクセス受付部１７０が受け付けた端末識別データに対応するフリーユースエリアＦＵＡを抽出し、抽出されたフリーユースエリアのセキュリティレベルが、要求されたコンテンツのセキュリティレベルを満足するか否かを判断する判断部１３０と、要求されたコンテンツのセキュリティレベルが、コンテンツを要求するユーザ携帯端末２００が位置するフリーユースエリアＦＵＡのセキュリティレベルを満足するとき、ユーザ携帯端末２００に要求されたコンテンツへのアクセスを許可するアクセス実行部１８０とを備える。
【００２１】
要求されたコンテンツのセキュリティレベルが、コンテンツを要求するユーザ携帯端末２００が位置するフリーユースエリアＦＵＡのセキュリティレベルを満足しないとき、アクセス実行部１８０は、コンテンツを要求するユーザ携帯端末２００にコンテンツのアクセスが許可できないことを示すアクセス拒否情報を送出してもよい。
【００２２】
コンテンツ管理装置１００は、さらにユーザ記憶部１２０を備える。ユーザ記憶部１２０は、端末識別データをセキュリティレベル別に保持する。
【００２３】
ユーザ携帯端末２００のセキュリティレベルがコンテンツを要求するユーザ携帯端末２００が位置するフリーユースエリアＦＵＡのセキュリティレベルを満足しないとき、アクセス実行部１８０は、コンテンツを要求するユーザ携帯端末２００にコンテンツのアクセスを許可できないことを示すアクセス拒否情報を送出してもよい。
【００２４】
ユーザ携帯端末２００にコンテンツへのアクセスを許可したとき、判断部１３０は、アクセス許可したコンテンツの識別データとコンテンツへのアクセスを許可したユーザ携帯端末２００の携帯端末識別データとを対応づけて検出結果を更新してもよい。
【００２５】
より具体的には、図３に示すように、フリーアドレスオフィスＦＡＯは、前述のように複数のフリーユースエリアＦＵＡにフリーアドレスユーザＦＡＹが自由に位置するように設定されている。そのフリーアドレスユーザＦＡＹは、例えば、フリーアドレスオフィスＦＡＯに勤務する社員からなる。
【００２６】
フリーユースエリアＦＵＡは、例えば、フリーアドレスユーザＦＡＹが自由に位置する座席や会議室からなる。フリーアドレスオフィスＦＡＯに位置するフリーアドレスユーザＦＡＹは、ユーザ携帯端末２００を常時所持している。
【００２７】
このユーザ携帯端末２００は、少なくともフリーユースエリアＦＵＡごとにユーザ検出デバイス３００でフリーアドレスユーザＦＡＹを個別に検出させることができる。
【００２８】
フリーユースエリアＦＵＡは、オフィスを所定の区画に分けたものであり、個々のフリーユースエリアＦＵＡを識別するためのエリアＩＤがコンテンツ管理装置１００に登録されている。
【００２９】
図２は、本実施の形態のコンテンツ管理装置１００を含むコンテンツ管理システム１０００を示す図である。コンテンツ管理装置１００は、通信ネットワークを介して、ユーザ携帯端末２００と、ユーザ検出デバイス３００と接続している。通信ネットワークは、たとえば、無線ＬＡＮ、ＬＡＮ、インターネットなどである。
【００３０】
ユーザ携帯端末２００は、ＰＤＡ２１０、ＰＨＳ端末２２０、モバイルコンピュータ２３０、等からなる。ユーザ携帯端末２００には、フリーアドレスユーザＦＡＹごとの端末ＩＤや電話番号やメールアドレスなどが個々に設定または登録されている。
【００３１】
また、ユーザ検出デバイス３００は、上述のようなＰＨＳ端末２２０により少なくともフリーユースエリアＦＵＡごとにフリーアドレスユーザＦＡＹを個別に検出することができる各種デバイスからなる。
【００３２】
このようなユーザ検出デバイス３００は、ＰＨＳ端末２２０と無線通信するＰＨＳ基地局３２０、ＰＤＡ２１０やモバイルコンピュータ２３０と無線ＬＡＮ（Local Area Network）でデータ通信するアクセスポイント３３０、等からなる。
【００３３】
図３に示すように、例えば、ＰＨＳ基地局３２０とアクセスポイント３３０とは、例えば、フリーユースエリアＦＵＡごとに天井などに設置されている。
【００３４】
このコンテンツ管理装置１００は、上述の各種のユーザ検出デバイス３００が接続されているフリーアドレスオフィスＦＡＯのデータベースサーバなどからなる。このコンテンツ管理装置１００は、実装されているコンピュータプログラムに対応して各種の処理動作を実行することにより、前述のような各部１１０〜が各種機能として実現されている。
【００３５】
つづいて、具体的なコンテンツ管理装置１００の各部１１０〜について説明する。
【００３６】
エリア記憶部１１０は、複数のフリーユースエリアＦＵＡを個々に識別するエリアＩＤをセキュリティレベル別に記憶する。
【００３７】
ユーザ記憶部１２０は、複数のフリーアドレスユーザＦＡＹを個々に識別するユーザＩＤをセキュリティレベル別に記憶する。また、ユーザ記憶部１２０は、ユーザＩＤと、ユーザが携帯するユーザ携帯端末の端末ＩＤとが対応づけて記憶されている。ユーザＩＤは、たとえば、社員番号、メールアドレスである。また、端末ＩＤは、たとえば、ユーザ携帯端末のシリアル番号、電話番号であり、任意に付された識別番号であってもよい。
【００３８】
コンテンツ記憶部１４０は、複数のコンテンツを個々に識別するコンテンツＩＤをセキュリティレベル別に記憶する。コンテンツは、たとえば、文書ファイル、画像ファイル、音声データ等である。コンテンツＩＤは、ファイル名であってもよいし、ファイル形式を識別する拡張子でもよいし、ファイルの属性を表すメタデータであってもよい。
【００３９】
セキュリティレベルとは、業務の機密性を示す指標である。たとえば、研究部門、開発部門、営業部門等の部署ごとにセキュリティレベルを決定してもよいし、役職ごとにセキュリティレベルを決定してもよい。
【００４０】
ユーザ検出部１５０は、フリーアドレスユーザＦＡＹが携帯するユーザ携帯端末２００がフリーユースエリアＦＵＡのどの位置にあるかを検出する。たとえば、フリーアドレスユーザＦＡＹごとの端末ＩＤをエリアＩＤと対応付けて検出する。また、ユーザＩＤをエリアＩＤと対応付けて検出してもよい。
【００４１】
現状保持部１６０は、ユーザ検出部１５０が検出したユーザ検出結果を一時的に保持する。具体的には、ユーザ検出結果とは、端末ＩＤと、エリアＩＤとを対応づけて一時的に保持したものである。
【００４２】
また、現状保持部１６０は、ユーザ記憶部１２０を参照し、端末ＩＤに対応するユーザＩＤおよびそのセキュリティレベルを抽出し、ユーザ検出結果と対応づけて保持する。一方、ユーザ検出部１５０がユーザＩＤをエリアＩＤと対応付けて検出した場合、現状保持部１６０は、ユーザ記憶部１２０を参照し、ユーザＩＤに対応するセキュリティレベルを抽出し、ユーザ検出結果と対応づけて保持してもよい。
【００４３】
また、現状保持部１６０は、エリア記憶部１１０を参照し、検出したエリアＩＤのセキュリティレベルを読み取り、ユーザ検出結果と対応づけて保持する。図４は、現状保持部１６０のデータ構造の一例を示す図である。
【００４４】
アクセス受付部１７０は、ユーザ携帯端末２００から、コンテンツの要求を受け付ける。具体的には、コンテンツを要求する端末ＩＤと、コンテンツを識別するコンテンツＩＤとを対応づけて受け付ける。コンテンツの要求は、ユーザ検出デバイス３００を介して受け付けることができる。
【００４５】
判断部１３０は、コンテンツ記憶部１４０を参照し、アクセス受付部１７０が受け付けたコンテンツＩＤに対応するセキュリティレベルを読み取る。また、現状保持部１６０に一時的に保持されたユーザ検出結果を参照し、アクセス受付部１７０が受け付けた端末ＩＤに対応するフリーユースエリアＦＵＡのセキュリティレベルを読み取る。読み取ったコンテンツのセキュリティレベルとフリーユースエリアＦＵＡのセキュリティレベルとを比較し、フリーユースエリアＦＵＡのセキュリティレベルがコンテンツのセキュリティレベルを満たすか否かを判断する。
【００４６】
判断する方法としては、たとえば、以下の方法がある。セキュリティレベルは、１〜５に数値化されている。数字が大きくなるほど、機密性が高いとする。この場合において、セキュリティレベルを満たす、とは、比較するセキュリティレベルの数値が、基準となるセキュリティレベルの数値よりも大きいこという。あるコンテンツ（コンテンツＡとする）のセキュリティレベルが３であり、フリーユースエリアＦＵＡ（オフィスＡとする）のセキュリティレベルが５であるとすると、オフィスＡのセキュリティレベルは、コンテンツＡのセキュリティレベルを満足する。一方、フリーユースエリアＦＵＡ（オフィスＢとする）のセキュリティレベルが２であるとすると、オフィスＢのセキュリティレベルは、コンテンツＡのセキュリティレベルを満たさない。
【００４７】
判断部１３０は、フリーユースエリアＦＵＡのセキュリティレベルが要求のあったコンテンツのセキュリティレベルを満たすと判断した場合、アクセス実行部１８０に対し、端末ＩＤとともに要求のあったコンテンツへのアクセスを許可するアクセス許可信号を送出する。
【００４８】
一方、判断部１３０は、フリーユースエリアＦＵＡのセキュリティレベルが要求のあったコンテンツのセキュリティレベル満たさないと判断した場合、アクセス実行部１８０に対し、端末ＩＤとともに、コンテンツのアクセスが許可できないことを示すアクセス拒否情報を送出する。
【００４９】
アクセス実行部１８０は、判断部１３０から、アクセス許可信号を受けつけた場合、アクセス許可信号と併せて受け付けた端末ＩＤに基づいて、ユーザ携帯端末２００に、アクセス許可信号を送信する。アクセス許可信号を受信したユーザ携帯端末２００は、コンテンツ管理装置１００に格納された所定のコンテンツにアクセスすることが可能となる。
【００５０】
また、アクセス実行部１８０は、判断部１３０から、アクセス拒否情報を受けつけた場合、アクセス拒否情報と併せて受け付けた端末ＩＤに基づいて、ユーザ携帯端末２００に、アクセス拒否情報を送信する。アクセス拒否情報を受信したユーザ携帯端末２００は、たとえば、ディスプレイにアクセス拒否情報を表示する。また、音声でコンテンツへのアクセスが拒否されたことを発呼してもよい。ユーザ携帯端末２００がコンテンツ管理装置１００から受信した警告情報を出力することにより、ユーザは、ユーザ携帯端末２００が位置するフリーユースエリアＦＵＡが要求したコンテンツのセキュリティレベルを満たさないことを知ることができる。
【００５１】
判断部１３０は、アクセス許可信号を送出すると、現状保持部１６０に保持されたユーザ検出結果を更新する。具体的には、ユーザ検出結果に含まれる端末ＩＤ及びユーザＩＤのいずれかと、アクセスを許可したコンテンツＩＤとを対応づけて保持させる。
【００５２】
ユーザ携帯端末２００は、コンテンツの使用が終了すると、アクセスを終了するアクセス終了信号を送信する。アクセス受付部１７０は、端末ＩＤとともにアクセス終了信号を受け付け、判断部１３０に送出する。判断部１３０は、端末ＩＤに基づいて、ユーザ検出結果に含まれる対応するコンテンツＩＤを消去する。
【００５３】
また、ユーザ検出部１５０は、所定の間隔で、フリーアドレスユーザＦＡＹが携帯するユーザ携帯端末がフリーユースエリアＦＵＡのどの位置にあるかを検出し、判断部１３０は、検出結果に基づいてユーザ検出結果を更新する。
【００５４】
判断部１３０は、現状保持部１６０に保持されたユーザ検出結果を参照して、エリアＩＤごとにデータを抽出する。抽出されたフリーユースエリアＦＵＡにおいて、コンテンツを使用しているユーザ携帯端末が存在する場合、フリーユースエリアＦＵＡに存在するユーザのセキュリティレベルが、使用中のコンテンツのセキュリティレベルを満たすか否かを判別する。
【００５５】
具体的には、使用中のコンテンツのコンテンツＩＤに対応するセキュリティレベルが、ユーザＩＤに対応するセキュリティレベルを満たすか否かを判断する。
【００５６】
抽出されたユーザＩＤが複数ある場合、少なくとも１つのユーザＩＤに対応するセキュリティレベルが使用中のコンテンツのセキュリティレベルを満たさないとき、判断部１３０は、コンテンツへのアクセスを一時的に遮断する遮断信号をユーザ携帯端末の端末ＩＤと併せてアクセス実行部１８０に送出する。遮断信号は、ユーザ携帯端末２００のディスプレイの表示を遮断するものであってもよい。
【００５７】
また、判断部１３０は、遮断信号と併せて、フリーユースエリアＦＵＡのセキュリティが低下していることを警告する警告情報を送出してもよい。
【００５８】
アクセス実行部１８０は、判断部１３０から遮断信号および端末ＩＤを受け付けると、端末ＩＤで識別されるユーザ携帯端末２００に対し、遮断信号を送信する。また、警告情報を受け付けた場合は、警告情報も併せて送信する。
【００５９】
これにより、ユーザ携帯端末２００のディスプレイにおいて、コンテンツの表示は一時的に遮断される。また、警告情報が送信された場合は、警告情報がユーザ携帯端末２００のディスプレイに表示される。この警告情報は、作業しているフリーユースエリアＦＵＡに実行中のコンテンツのセキュリティレベルを満たさないユーザが存在することを知らせるものである。これにより、ユーザは、一時的に作業を中断したり、セキュリティレベルを満たさないユーザに対し、移動を促したりして、使用中のコンテンツのセキュリティを確保することができる。
【００６０】
本実施の形態のコンテンツ管理装置１００は、前述のように実装されているコンピュータプログラムに対応して各種の処理動作を実行することにより、前述のような各部１１０〜が各種機能として実現されている。
【００６１】
このようなコンピュータプログラムは、たとえば、コンテンツをセキュリティレベル別に記憶するコンテンツ記憶手段と、各フリーユースエリアをセキュリティレベル別に記憶するエリア記憶手段と、フリーユースエリアごとにユーザ携帯端末を識別する端末識別データを検出する端末位置検出手段と、端末位置検出手段が検出した検出結果を保持する現状保持手段と、端末識別データとともにコンテンツの要求を受け付けるコンテンツ要求受付手段と、検出結果から前記コンテンツ要求手段が受け付けた端末識別データに対応するフリーユースエリアを抽出し、抽出された前記フリーユースエリアのセキュリティレベルが、要求されたコンテンツのセキュリティレベルを満足するか否かを判断する判断手段と、要求されたコンテンツのセキュリティレベルが、コンテンツを要求するユーザ携帯端末が位置するフリーユースエリアのセキュリティレベルを満足するとき、ユーザ携帯端末に前記要求されたコンテンツへのアクセスを許可するアクセス許可手段をコンテンツ管理装置１００に実行させるように記述されている。
【００６２】
上述のような構成において、本実施の形態のコンテンツ管理装置１００によるコンテンツ管理方法の例を以下に説明する。まず、本実施の形態のコンテンツ管理システム１０００は、前述のようにフリーアドレスオフィスＦＡＯで利用される。
【００６３】
このフリーアドレスオフィスＦＡＯは、例えば、複数の在席が複数のフリーユースエリアＦＵＡである会議室などとして区分されている。そして、社員であるフリーアドレスユーザＦＡＹは、在席が固定されておらず、フリーユースエリアＦＵＡを自由に利用する。
【００６４】
このため、機密性の高いデータを扱うとき、近隣に着席するフリーアドレスユーザＦＡＹに配慮する必要がある。たとえば、部外秘資料を用いて作業する場合、他部署のフリーアドレスユーザＦＡＹが隣に着席していると、作業状況が隣席のフリーアドレスユーザＦＡＹの視野に入ることとなり、セキュリティ上問題がある。しかし、本実施の形態のコンテンツ管理システム１０００では、フリーユースエリアＦＵＡおよびユーザ携帯端末２００ごとにセキュリティレベルを管理する。
【００６５】
上述のようなフリーアドレスユーザＦＡＹの各々が、ＰＤＡ２１０、ＰＨＳ端末２２０、モバイルコンピュータ２３０、等のユーザ携帯端末２００を所持している。
【００６６】
このような状態で、フリーアドレスユーザＦＡＹが所望のフリーユースエリアＦＵＡに着席すると、そのフリーアドレスユーザＦＡＹのＰＨＳ端末２２０やモバイルコンピュータ２３０が、そのフリーユースエリアＦＵＡのＰＨＳ基地局３２０やアクセスポイント３３０にアクセスする。これにより、ＰＨＳ基地局３２０やアクセスポイント３３０でユーザＩＤおよび端末識別データが検出される。
【００６７】
ユーザ記憶部１２０において、ユーザＩＤと端末ＩＤとが対応付けて記憶されている。したがって、ユーザ検出部１５０は、ユーザＩＤのみを検出することにより、端末ＩＤを検出してもよい。また、端末ＩＤを検出することにより、ユーザＩＤを検出してもよい。また、ユーザＩＤおよび端末ＩＤをいずれも検出できる構成を採用してもよい。つまり、フリーユースエリアＦＵＡごとにユーザＩＤおよび端末ＩＤのいずれか一方を検出できればよい。ユーザが複数のユーザ携帯端末２００を有する場合、ユーザ携帯端末別にセキュリティ管理することができる。
【００６８】
このとき、図５に示すように、フリーユースエリアＦＵＡのＰＨＳ基地局３２０やアクセスポイント３３０でフリーアドレスユーザＦＡＹのＰＨＳ端末２２０やモバイルコンピュータ２３０を検出されるごとに(ステップＳ１)、その現状の関係を一時保持する(ステップＳ２)。具体的には、端末ＩＤとユーザＩＤとフリーユースエリアＦＵＡのエリアＩＤとを対応づけて保持する。コンテンツ管理装置１００は、ユーザ携帯端末２００から端末ＩＤとともに、コンテンツの要求を受け付ける（ステップＳ３）と、一時保持された検出結果からコンテンツの要求のあったユーザ携帯端末２００の端末ＩＤに対応するエリアＩＤを読み取ることにより、ユーザ携帯端末が位置するフリーユースエリアＦＵＡのセキュリティレベルを把握する。ユーザ記憶部１２０とエリア記憶部１１０とを参照して、端末ＩＤに対応するセキュリティレベルが、端末が位置するフリーユースエリアＦＵＡのセキュリティレベルを満足するかどうかを判断する（ステップＳ４）。セキュリティレベルを満足する場合（ステップＳ４のＹ）、コンテンツ管理装置１００は、コンテンツの要求があったユーザ携帯端末２００にアクセス許可信号を送信する（ステップＳ５）。セキュリティレベルを満足しない場合（ステップＳ４のＮ）、アクセス拒否情報を送信する（ステップＳ６）。アクセス拒否情報は、ユーザ携帯端末２００が位置するフリーユースエリアＦＵＡが要求のあったコンテンツのセキュリティレベルを満たさないため、コンテンツにアクセスできないことをユーザ携帯端末２００のディスプレイに表示させるための情報である。
【００６９】
ユーザ携帯端末２００がアクセス許可信号を受け付けることにより、ユーザはコンテンツを利用して作業をすることができる。また、ユーザ携帯端末は、アクセス拒否情報を受け付けることにより、たとえば、ディスプレイにアクセス拒否情報を表示し、ユーザは自身の所在がコンテンツを利用するエリアとしてセキュリティ上不適当であることを知ることができる。
【００７０】
また、図６で示すように、フリーユースエリアＦＵＡのＰＨＳ基地局３２０やアクセスポイント３３０でフリーアドレスユーザＦＡＹのＰＨＳ端末２２０やモバイルコンピュータ２３０を検出されるごとに(ステップＳ７のＹ)、その現状の関係が一時保持される(ステップＳ８)。また、ユーザにコンテンツへのアクセスを許可している場合（ステップＳ９のＹ）、ユーザＩＤと、アクセス許可中のコンテンツのセキュリティレベルとが対応づけて保持される（ステップＳ１０）。コンテンツのアクセスを許可しているユーザが位置するフリーユースエリアと同じフリーユースエリアに位置するユーザＩＤを抽出し、抽出されたユーザのセキュリティレベルとアクセス許可中のコンテンツのセキュリティレベルとを比較する。抽出されたユーザＩＤのうち少なくとも一のユーザＩＤのセキュリティレベルが、アクセス中のコンテンツのセキュリティレベルを満足しない場合（ステップＳ１１のＹ）、コンテンツにアクセス中のユーザ携帯端末に対して遮断信号を送信して（ステップ１２）、携帯端末のディスプレイにコンテンツを表示させないようにする。さらに、警告情報を送信してもよい。
【００７１】
以下にコンテンツ管理装置１００の動作の具体例を図１および図４を用いて説明する。
【００７２】
コンテンツ管理装置１００は、オフィスＡにユーザである特許太郎と特許花子が存在することを検出し、現状保持部１６０に検出結果を一時的に保持する。現状保持部１６０は、ユーザ記憶部１２０を参照し、特許太郎の携帯するユーザ携帯端末がcomputer1であることおよび特許花子の携帯するユーザ携帯端末がcomputer2であることを読み取り、検出結果に対応づけて保持する。
【００７３】
特許太郎は、computer1を操作し、コンテンツ管理装置１００にコンテンツＡを要求する。アクセス受付部１７０はcomputer1からコンテンツＡの要求があるという情報を受け付け、判断部１３０に送出する。判断部１３０は、現状保持部１６０からcomputer1の位置がオフィスＡにあることを読みとり、エリア記憶部１１０からオフィスＡを抽出してセキュリティレベルが４であることを読み取る。また、判断部１３０は、コンテンツ記憶部１４０からコンテンツＡを抽出して、コンテンツＡのセキュリティレベルが２であることを読み取る。セキュリティレベルは高いほど機密性が高いとすると、オフィスＡのセキュリティレベルがコンテンツＡのセキュリティレベルを満足している。したがって、判断部１３０はアクセス実行部１８０にコンテンツＡへのアクセス許可信号の送信を指示する。また、判断部１３０は、現状保持部１６０を更新して、computer1がコンテンツＡを動作中であるというデータを付加する。アクセス実行部１８０はcomputer1にアクセス許可信号を送信する。これにより、特許太郎はcomputer1を操作し、コンテンツＡを利用することができる。
【００７４】
特許花子は、computer2を操作し、コンテンツ管理装置１００にコンテンツＢを要求させる。アクセス受付部１７０はcomputer2からコンテンツＢの要求があるという情報を受け付け、判断部１３０に送出する。判断部１３０は、現状保持部１６０からcomputer2の位置がオフィスＡにあることを読みとり、エリア記憶部１１０からオフィスＡを抽出してセキュリティレベルが４であることを読み取る。また、判断部１３０は、コンテンツ記憶部からコンテンツＢを抽出して、コンテンツＢのセキュリティレベルが５であることを読み取る。セキュリティレベルは高いほど機密性が高いとすると、オフィスＡのセキュリティレベルがコンテンツＢのセキュリティレベルを満足していない。したがって、判断部１３０はアクセス実行部１８０にアクセス拒否信号の送信を指示し、アクセス実行部１８０はcomputer2にアクセス拒否信号を送信する。これにより、特許花子はオフィスＡでコンテンツＢを扱うことができないことを知ることができる。
【００７５】
つづけて、コンテンツ管理装置１００は、オフィスＡにユーザである特許次郎が存在することを検出し、現状保持部１６０はこの検出結果を上記の検出結果に付加する。
【００７６】
判断部１３０は、現状保持部１６０が更新されるごとにフリーユースエリアごとに検出されるユーザＩＤのセキュリティレベルの充足度を判別する。特許次郎のユーザＩＤの検出により、現状保持部１６０に保持された検出結果が更新される。判断部１３０は、ユーザ記憶部１２０を参照し、特許次郎のセキュリティレベルが１であることを読み取り、オフィスＡで特許太郎が使用するコンテンツＡのセキュリティレベルを満たさないことを判断する。そこで、判断部１３０は、コンテンツ記憶部１４０にアクセス中のcomputer１に対し、コンテンツＡの表示を遮断するための信号をアクセス実行部１８０に送信するよう指示する。また、判断部１３０は、アクセス実行部１８０に警告情報も併せて送信するよう指示する。
【００７７】
上述のような処理動作が常時実行されることにより、フリーアドレスオフィスＦＡＯで実行するコンテンツのセキュリティを確保することができる。
【００７８】
コンテンツ管理装置１００によれば、フリーユースエリアＦＵＡ、ユーザ携帯端末およびコンテンツをセキュリティレベル別に管理し、コンテンツを使用するユーザ携帯端末の位置がコンテンツのセキュリティレベルを満たすことを判断して、コンテンツのアクセスを許可することができる。これにより、フリーユースエリアＦＵＡごとに使用するコンテンツのセキュリティを管理することができる。
【００７９】
また、コンテンツ管理装置１００によれば、ユーザが位置するフリーユースエリアのセキュリティレベルが要求されたコンテンツのセキュリティレベルを満足しないとき、アクセス拒否情報を送信することができる。このアクセス拒否情報は、フリーユースエリアが要求されたコンテンツのセキュリティを満たしていないことを示すものである。これにより、ユーザは自己が位置するフリーユースエリアが利用したいコンテンツのセキュリティレベルを満たしていないことを知ることができ、フリーユースエリアを移動したり、異なるコンテンツを要求したりして作業をつづけることができる。
【００８０】
また、コンテンツ管理装置１００は、ユーザ携帯端末をセキュリティレベル別に管理してもよい。こうすることにより、フリーユースエリアで使用できるユーザ携帯端末をセキュリティレベルに応じて管理することができる。ユーザ携帯端末のセキュリティレベルがフリーユースエリアのセキュリティレベルを満足しないとき、ユーザ携帯端末にコンテンツのアクセスが許可できないことを示すアクセス拒否情報を送信する。このアクセス情報は、ユーザ携帯端末がフリーユースエリアのセキュリティレベルを満たしていないことを示すものである。これにより、ユーザは、自身のユーザ携帯端末がフリーユースエリアのセキュリティレベルを満たしていないことを知ることができ、使用する端末を、セキュリティレベルを満足するユーザ携帯端末に変更して作業することができる。
【００８１】
また、コンテンツ管理装置１００によれば、フリーユースエリアＦＵＡ、ユーザおよびコンテンツをセキュリティレベル別に管理し、コンテンツを使用するユーザの所在がコンテンツのセキュリティレベルを満たすことを判断して、コンテンツをユーザ携帯端末のディスプレイに表示させることができる。これにより、フリーユースエリアＦＵＡごとに使用するコンテンツのセキュリティを管理することができる。
【００８２】
また、コンテンツ管理装置１００によれば、コンテンツを送信するとき、コンテンツの送信先となるユーザ携帯端末２００のユーザ情報に、送信するコンテンツのセキュリティレベルを対応づけて記憶することもできる。これにより、ユーザの周囲の状況がコンテンツのセキュリティレベルを満たすか否かをリアルタイムに把握することができる。
【００８３】
たとえば、コンテンツの表示情報を送信しているフリーユースエリアにコンテンツのセキュリティレベルを満たさないユーザが検出されたとき、コンテンツの表示情報を送信しているユーザ携帯端末にコンテンツの表示を遮断する表示遮断信号を送信することができる。
【００８４】
また、この場合において、フリーユースエリアのセキュリティが低下していることを警告する警告情報を送信し、ユーザ携帯端末に表示させることができる。
【００８５】
以上のように、コンテンツ管理装置１００によれば、場所や周囲の状況に応じてアクセス権を制御することができる。
【００８６】
たとえば、機密性の高いコンテンツは特定の場所（機密エリア）でしかアクセスできないようにすることができる。
【００８７】
また、セキュリティレベルを満たさない部外者がいるとコンテンツを表示できないようにすることができる。
【００８８】
このように、機密業務の作業空間を制限することが可能になることにより、フリーアドレスオフィスのような人の出入りが多いオフィスでも安全を確保することができる。
【００８９】
なお、本発明は本実施の形態に限定されるものではなく、その要旨を逸脱しない範囲で各種の変形を許容する。
【００９０】
上記形態では複数のユーザ携帯端末２００が、ＰＤＡ２１０とＰＨＳ端末２２０とモバイルコンピュータ２３０とからなり、ユーザ検出デバイス３００が、ＰＨＳ基地局３２０とアクセスポイント３３０とからなることを例示した。
【００９１】
しかし、ユーザ携帯端末２００として、モバイルコンピュータ２３０に接続される赤外線受信器、ユーザ検出デバイス３００として、個体ごとの個別ＩＤやフリーユースエリアＦＵＡごとのエリアＩＤなどを赤外線受信器に赤外線送信する赤外線発信器、等を利用することもできる(図示せず)。
【００９２】
このような赤外線発信器は、例えば、フリーユースエリアＦＵＡの天井の蛍光灯に装着されており、その発光を電力に変換することにより、登録されている個別ＩＤやエリアＩＤを赤外線送信する。
【００９３】
すると、これを受信した赤外線受信器は、その個別ＩＤやエリアＩＤをモバイルコンピュータ２３０からコンテンツ管理装置１００に無線ＬＡＮなどで送信させる。このため、やはりフリーアドレスユーザＦＡＹの位置をコンテンツ管理装置１００が認識することができる。
【００９４】
また、上記形態ではコンテンツ管理装置１００がフリーアドレスユーザＦＡＹによるフリーユースエリアＦＵＡの使用状態をリアルタイムに検出することのみ例示した。しかし、上述のようなコンテンツ管理装置１００が、フリーアドレスユーザＦＡＹの行動予定データのエリア管理データへの登録を受け付ける行動登録手段を、さらに有してもよい(図示せず)。
【００９５】
同様に、フリーユースエリアＦＵＡの使用予定データのエリア管理データへの登録を受け付ける使用登録手段を、さらに有してもよい。これらの場合、例えば、いわゆるスケジューラによりフリーアドレスユーザＦＡＹやフリーユースエリアＦＵＡの予定を登録しておき、その予定をユーザ一覧画像やエリア一覧画像に反映させる。ユーザ一覧画像は、上記携帯端末において、現状保持部１６０によって保持される検出結果のデータ構造をディスプレイに表示させるものである。
【００９６】
すると、ユーザ一覧画像やエリア一覧画像を確認することにより、フリーアドレスユーザＦＡＹによるフリーユースエリアＦＵＡの利用内容も確認することができる。
【００９７】
また、本実施の形態では、セキュリティレベルが複数段階ある場合を例示した。しかし、セキュリティレベルは、一つであってもよい。
【００９８】
さらに、本実施の形態ではコンテンツ管理装置１００の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【００９９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【０１００】
たとえば、図１で示す実施の形態にかかるコンテンツ管理装置１００において、図７で示すような方法でコンテンツを管理してもよい。
【０１０１】
アクセス実行部１８０により、コンテンツの表示情報をユーザ携帯端末２００に出力する（Ｓ１０１）。ユーザ検出部１５０により、コンテンツの表示情報を出力しているユーザ携帯端末２００を個々に識別してユーザ携帯端末２００の位置を検出する（Ｓ１０２）。また、ユーザ検出部１５０は、フリーユースエリアＦＵＡ内のゲストの位置を検出する（Ｓ１０３）。判断部１３０は、ユーザ検出部１５０が検出したユーザ携帯端末２００の位置と、ゲストの位置との位置関係を検出する。具体的には、たとえば、判断部１３０は、ユーザ携帯端末２００の位置と、ゲストの位置との間の距離を計算する（Ｓ１０４）。判断部１３０が算出したユーザ携帯端末２００の位置とゲストの位置との間の距離が所定の間隔（設定距離）以下のとき（Ｓ１０５のＹ）、アクセス実行部１８０は、ユーザ携帯端末２００に対し、コンテンツの表示情報の出力を遮断する（Ｓ１０６）。
【０１０２】
こうすることにより、フリーユースエリアにゲストが訪問した場合においても、コンテンツを利用した作業のセキュリティを確保することができる。
【０１０３】
また、コンテンツの表示情報を遮断するとき、ゲストが所定の距離に接近していることを警告する警告情報を出力してディスプレイに表示させてもよい。
【０１０４】
こうすることにより、作業中のユーザは、ゲストが接近していることを知ることができ、ゲストに対する注意を促して作業を再開することができる。
【０１０５】
ゲストがＰＨＳ端末を携帯することにより、ＰＨＳ基地局を介してユーザ検出部１５０は、ゲストの位置を検出することができる。また、ゲストが赤外線タグを携帯することにより、赤外光に撮像感度を持つ広角カメラを介して、ゲストの位置が検出されてもよい。つまり、ユーザと区別して、ゲストの位置を検出可能な各種デバイスを用いてゲストが検出されればよい。また、ゲストは他のユーザであってもよい。
【０１０６】
図４の例において、ユーザ検出部１５０が、コンテンツが提供されている特許太郎のcomputer1の位置と特許次郎の位置とを検出したとき、現状保持部１６０を参照して特許太郎のセキュリティレベルと特許次郎のセキュリティレベルを比較してもよい。このとき、ユーザ検出部１５０が検出したcomputer1の位置と、特許次郎の位置との間の距離を計算し、computer1と特許次郎との間の距離が所定の間隔以下となった場合、アクセス実行部１８０は、computer1に対し、コンテンツの表示情報の出力を遮断してもよい。
【０１０７】
判断部１３０は、ユーザ携帯端末２００の位置とゲストの位置との位置関係を検出する。また、ユーザ携帯端末２００間の位置関係を検出してもよい。具体的には、判断部１３０は、ユーザ携帯端末２００のディスプレイを中心として所定の範囲にゲストが入ったか否かを検出する。所定の範囲は、ディスプレイが目視できる距離に設定することができる。こうすることにより、ゲスト（又はユーザ）がユーザに向かって設定した距離にまで接近したとき、コンテンツの表示情報の出力が遮断され、携帯端末のディスプレイにコンテンツが一時的に表示されなくなる。
【０１０８】
したがって、フリーユースエリアを利用するユーザ間においても、業務のセキュリティを確保することができ、機密性の高い業務の遂行が可能となる。
【０１０９】
なお、コンテンツを提供する携帯端末は、携帯端末に限定されず、デスクトップコンピュータであってもよい。
【０１１０】
また、本実施の形態のコンテンツ管理装置１００は、コンピュータプログラムにより、たとえば、コンテンツの表示情報をユーザ携帯端末に出力する出力手段と、コンテンツの表示情報を出力しているユーザ携帯端末を個々に識別してユーザ携帯端末の位置を検出するユーザ位置検出手段と、フリーユースエリア内のゲストの位置を検出するゲスト位置検出手段と、ユーザ位置検出手段が検出したユーザ携帯端末の位置と、ゲスト位置検出手段が検出したゲストの位置との間の距離を計算する位置関係検出手段と、を備え、位置関係検出手段が算出したユーザ携帯端末の位置とゲストの位置との間の距離が所定の間隔以下のとき、出力手段は、ユーザ携帯端末に対し、コンテンツの表示情報の出力を遮断することを実現されていてもよい。
【０１１１】
（付記１）
フリーロケーションスペースに用意されているフリーユースエリアで使用するユーザ携帯端末の要求に応じてコンテンツを提供するコンテンツ管理装置であって、
前記コンテンツをセキュリティレベル別に記憶するコンテンツ記憶手段と、
各フリーユースエリアをセキュリティレベル別に記憶するエリア記憶手段と、
前記フリーユースエリアごとに前記ユーザ携帯端末を識別する端末識別データを検出する端末位置検出手段と、
前記端末位置検出手段が検出した検出結果を保持する現状保持手段と、
前記端末識別データとともに前記コンテンツの要求を受け付けるコンテンツ要求受付手段と、
前記検出結果から前記コンテンツ要求受付手段が受け付けた前記端末識別データに対応するフリーユースエリアを抽出し、抽出された前記フリーユースエリアのセキュリティレベルが、要求されたコンテンツのセキュリティレベルを満足するか否かを判断する判断手段と、
前記要求されたコンテンツのセキュリティレベルが、前記コンテンツを要求する前記ユーザ携帯端末が位置する前記フリーユースエリアのセキュリティレベルを満足するとき、前記ユーザ携帯端末に前記要求されたコンテンツへのアクセスを許可するアクセス許可手段と、
を備えることを特徴とするコンテンツ管理装置。
【０１１２】
（付記２）
前記要求されたコンテンツのセキュリティレベルが、前記コンテンツを要求する前記ユーザ携帯端末が位置する前記フリーユースエリアのセキュリティレベルを満足しないとき、前記アクセス許可手段は、前記コンテンツを要求する前記ユーザ携帯端末に前記コンテンツのアクセスが許可できないことを示すアクセス拒否情報を送出することを特徴とする付記１に記載のコンテンツ管理装置。
【０１１３】
（付記３）
前記端末識別データをセキュリティレベル別に保持する端末記憶手段をさらに備え、
前記ユーザ携帯端末のセキュリティレベルが前記コンテンツを要求するユーザ携帯端末が位置するフリーユースエリアのセキュリティレベルを満足しないとき、前記アクセス許可手段は、前記コンテンツを要求する前記ユーザ携帯端末に前記コンテンツのアクセスを許可できないことを示す前記アクセス拒否情報を送信することを特徴とする付記２に記載のコンテンツ管理装置。
【０１１４】
（付記４）
前記ユーザ携帯端末に前記コンテンツへのアクセスを許可したとき、前記判断手段は、アクセス許可した前記コンテンツの識別データと、前記コンテンツへのアクセスを許可した前記ユーザ携帯端末の前記携帯端末識別データとを対応づけて前記検出結果を更新することを特徴とする付記１乃至３いずれかに記載のコンテンツ管理装置。
【０１１５】
（付記５）
フリーロケーションスペースに用意されているフリーユースエリアで使用するユーザ携帯端末の要求に応じてコンテンツを提供するコンテンツ管理方法であって、
前記コンテンツをセキュリティレベル別に記憶するステップと、
各フリーユースエリアをセキュリティレベル別に記憶するステップと、
前記フリーユースエリアごとに前記ユーザ携帯端末を識別する端末識別データを検出するステップと、
前記端末識別データを検出する前記ステップで検出した検出結果を保持するステップと、
前記端末識別データとともに前記コンテンツの要求を受け付けるステップと、
前記検出結果から前記コンテンツの要求を受け付ける前記ステップで受け付けた前記端末識別データに対応するフリーユースエリアを抽出し、抽出された前記フリーユースエリアのセキュリティレベルが、要求されたコンテンツのセキュリティレベルを満足するか否かを判断するステップと、
前記要求されたコンテンツのセキュリティレベルが、前記コンテンツを要求する前記ユーザ携帯端末が位置する前記フリーユースエリアのセキュリティレベルを満足するとき、前記ユーザ携帯端末に前記要求されたコンテンツへのアクセスを許可するステップと、
を含むことを特徴とするコンテンツ管理方法。
【０１１６】
（付記６）
フリーロケーションスペースに用意されているフリーユースエリアで使用するユーザ携帯端末の要求に応じて前記コンテンツを提供するためのコンテンツ管理プログラムであって、
コンピュータに、
前記コンテンツをセキュリティレベル別に記憶するコンテンツ記憶手段と、
各フリーユースエリアをセキュリティレベル別に記憶するエリア記憶手段と、
前記フリーユースエリアごとに前記ユーザ携帯端末を識別する端末識別データを検出する端末位置検出手段と、
前記端末位置検出手段が検出した検出結果を保持する現状保持手段と、
前記端末識別データとともに前記コンテンツの要求を受け付けるコンテンツ要求受付手段と、
前記検出結果から前記コンテンツ要求手段が受け付けた前記端末識別データに対応するフリーユースエリアを抽出し、抽出された前記フリーユースエリアのセキュリティレベルが、要求されたコンテンツのセキュリティレベルを満足するか否かを判断する判断手段と、
前記要求されたコンテンツのセキュリティレベルが、前記コンテンツを要求する前記ユーザ携帯端末が位置する前記フリーユースエリアのセキュリティレベルを満足するとき、前記ユーザ携帯端末に前記要求されたコンテンツへのアクセスを許可するアクセス許可手段と、
を実現させることを特徴とするコンテンツ管理プログラム。
【０１１７】
（付記７）
フリーロケーションスペースに用意されているフリーユースエリアで使用するユーザ端末の要求に応じてコンテンツを提供するコンテンツ管理装置であって、
前記コンテンツの表示情報をユーザ端末に出力する出力手段と、
前記コンテンツの表示情報を出力している前記ユーザ端末の位置を検出するユーザ位置検出手段と、
前記フリーユースエリア内のゲストの位置を検出するゲスト位置検出手段と、
前記ユーザ位置検出手段が検出したユーザ端末の位置と、前記ゲスト位置検出手段が検出したゲストの位置との位置関係を検出する位置関係検出手段と、
を備えることを特徴とするコンテンツ管理装置。
【０１１８】
（付記８）
前記位置関係検出手段は、前記ユーザ位置検出手段が検出したユーザ端末の位置と、前記ゲスト位置検出手段が検出したゲストの位置との間の距離を計算し、
前記位置関係検出手段が検出した前記ユーザ端末の位置と前記ゲストの位置との関係が所定の間隔以下のとき、前記出力手段は、前記ユーザ端末に対し、前記コンテンツの表示情報の出力を遮断することを特徴とする付記７に記載のコンテンツ管理装置。
【０１１９】
（付記９）
前記コンテンツの表示情報の出力を遮断するとき、ゲストが所定の距離に接近していることを警告する警告情報を出力することを特徴とする付記８に記載のコンテンツ管理装置。
【０１２０】
（付記１０）
フリーロケーションスペースに用意されているフリーユースエリアで使用するユーザ端末の要求に応じてコンテンツを提供するコンテンツ管理方法であって、
前記コンテンツの表示情報をユーザ端末に出力するステップと、
前記コンテンツの表示情報を出力している前記ユーザ端末を個々に識別して前記ユーザ端末の位置を検出するステップと、
前記フリーユースエリア内のゲストの位置を検出するステップと、
前記ユーザ端末の位置を検出する前記ステップで検出したユーザ端末の位置と、前記ゲストの位置を検出する前記ステップで検出したゲストの位置との位置関係を検出するステップと、
を含むことを特徴とするコンテンツ管理方法。
【０１２１】
（付記１１）
フリーロケーションスペースに用意されているフリーユースエリアで使用するユーザ端末の要求に応じてコンテンツを提供するためのコンテンツ管理プログラムであって、
コンピュータに、
前記コンテンツの表示情報をユーザ端末に出力する出力手段と、
前記コンテンツの表示情報を出力している前記ユーザ端末を個々に識別して前記ユーザ端末の位置を検出するユーザ位置検出手段と、
前記フリーユースエリア内のゲストの位置を検出するゲスト位置検出手段と、
前記ユーザ位置検出手段が検出したユーザ端末の位置と、前記ゲスト位置検出手段が検出したゲストの位置との位置関係を検出する位置関係検出手段と、
を実現させるコンテンツ管理プログラム。
【図面の簡単な説明】
【０１２２】
【図１】実施の形態にかかるコンテンツ管理装置１００のブロック図である。
【図２】実施の形態にかかるコンテンツ管理装置１００を含むコンテンツ管理システム１０００を示す図である。
【図３】実施の形態にかかるフリーユースエリアを示す模式図である。
【図４】実施の形態にかかるデータ構造の一例を示す図である。
【図５】実施の形態にかかるコンテンツ管理方法を示すフローである。
【図６】実施の形態にかかるコンテンツ管理方法を示すフローである。
【図７】実施の形態にかかるコンテンツ管理方法の変形例を示すフローである。
【符号の説明】
【０１２３】
ＦＡＯ    フリーアドレスオフィス
ＦＡＹ    フリーアドレスユーザ
ＦＵＡ    フリーユースエリア
１００    コンテンツ管理装置
１１０    エリア記憶部
１２０    ユーザ記憶部
１３０    判断部
１４０    コンテンツ記憶部
１５０    ユーザ検出部
１６０    現状保持部
１７０    アクセス受付部
１８０    アクセス実行部
２００    ユーザ携帯端末
２１０    ＰＤＡ
２２０    ＰＨＳ端末
２３０    モバイルコンピュータ
３００    ユーザ検出デバイス
３２０    基地局
３３０    アクセスポイント
１０００    コンテンツ管理システム
【図１】
0005125362.tif 000002
【図２】
0005125362.tif 000003
【図３】
0005125362.tif 000004
【図４】
0005125362.tif 000005
【図５】
0005125362.tif 000006
【図６】
0005125362.tif 000007
【図７】
0005125362.tif 000008